(57)【要約】      （修正有）【課題】車両の進行方向を明確に示し、安全に警告を行うことにより、全体的な利便性を向上させることができる車両用ライトモジュールを提供する。【解決手段】車両のデイライトのスイッチと、方向指示ランプのスイッチとに電気的に接続されたコントローラ１が配置され、コントローラ１は、制御線１２により、デイライトセット２の発光源２１のそれぞれに直接接続され、複数の制御線１２により、方向指示ランプセット３の発光源３１のそれぞれに接続され、方向指示ランプセット３の各発光源３１は、コントローラ１の制御を受けて順次発光し、車両の進行方向を表す。コントローラ１とデイライトセット２との間には、電源に接続されたデイライト制御スイッチが配置され、コントローラ１は、制御線によりデイライト制御スイッチに接続され、電源は、デイライト制御スイッチによりデイライトセット２の発光源２１のそれぞれに接続される。【選択図】図１
0003174586.tif 000002
【実用新案登録請求の範囲】
【請求項１】
車両のデイライトのスイッチと、方向指示ランプのスイッチとに電気的に接続されたコントローラを備え、
前記コントローラは、制御線により、デイライトセットの発光源のそれぞれに直接接続され、複数の制御線により、方向指示ランプセットの発光源のそれぞれに接続され、前記方向指示ランプセットの各前記発光源は、前記コントローラにより制御されて順次発光し、車両の進行方向を表すことを特徴とする車両用ライトモジュール。
【請求項２】
前記コントローラと前記デイライトセットとの間には、電源に接続されたデイライト制御スイッチが配置され、
前記コントローラは、前記制御線により前記デイライト制御スイッチに接続され、前記電源は、前記デイライト制御スイッチにより前記デイライトセットの前記発光源のそれぞれに接続されることを特徴とする請求項１に記載の車両用ライトモジュール。
【請求項３】
前記コントローラと前記方向指示ランプセットとの間には、電源に接続された方向指示ランプ制御スイッチセットが配置され、前記コントローラは、複数の前記制御線により前記方向指示ランプ制御スイッチセットの制御スイッチのそれぞれに接続され、前記電源は、前記方向指示ランプ制御スイッチセットの前記制御スイッチのそれぞれにより前記方向指示ランプセットの前記発光源のそれぞれに接続されることを特徴とする請求項１に記載の車両用ライトモジュール。
【考案の詳細な説明】
【技術分野】
【０００１】
本考案は、車両用ライトモジュールに関し、特に、構造が簡素であるため製造コストを大幅に削減することができ、実際に使用する際、方向指示ランプセットの各発光源を順次発光させ、車両の進行方向を明確に示し、安全に警告を行うことにより、全体的な利便性を向上させることができる車両用ライトモジュールに関する。
【背景技術】
【０００２】
一般に、車両には、ヘッドライト、デイライト、テールランプ、方向指示ランプ、ブレーキランプなどがそれぞれ異なる位置に配置されている。ユーザは、状況に応じて、異なる位置のライトを用いて異なる色を発光させ、他の運転者又は歩行者に車両の位置又は進行方向を知らせることができる。また、夜間又は周囲が暗くて視界が不明瞭な状況で運転を行う際、ライトを発光させて道路を照らし、安全を確保することもできる。
【０００３】
上述した各車両用ライトは、照明、警告、方向指示など所定の効果を有する。一般に、デイライト及び方向指示ランプは、車両の両外端に取り付けられているが、実際に使用する際、デイライトは警告を行うために用いられ、方向指示ランプは方向を転換するときの進行方向を知らせるために用いられる。このため、警告用及び方向指示用に、効果及び発光色が異なる２組類のライトをそれぞれ取り付ける必要がある。ライトのそれぞれには、対応するランプホルダ、発光源、反射鏡、ランプカバーなどがそれぞれ必要であるため、全体的な構造が複雑になったり、組み立てが煩雑になったり、製造コストが高くなったりする。そのため、従来の車両用ライトモジュールは、改善の余地がある。
【考案の概要】
【考案が解決しようとする課題】
【０００４】
本考案の目的は、簡素な構造により製造コストを大幅に下げ、実際に使用する際、方向指示ランプセットの各発光源を順次発光させ、車両の進行方向を明確に示し、安全に警告を行うことにより、全体的な利便性を向上させることができる車両用ライトモジュールを提供することにある。
【課題を解決するための手段】
【０００５】
上記課題を解決するために、本考案の第１の形態によれば、車両のデイライトのスイッチと、方向指示ランプのスイッチとに電気的に接続されたコントローラを備え、前記コントローラは、制御線により、デイライトセットの発光源のそれぞれに直接接続され、複数の制御線により、方向指示ランプセットの発光源のそれぞれに接続され、前記方向指示ランプセットの各前記発光源は、前記コントローラにより制御されて順次発光し、車両の進行方向を表すことを特徴とする車両用ライトモジュールが提供される。
【０００６】
前記コントローラと前記デイライトセットとの間には、電源に接続されたデイライト制御スイッチが配置され、前記コントローラは、前記制御線により前記デイライト制御スイッチに接続され、前記電源は、前記デイライト制御スイッチにより前記デイライトセットの前記発光源のそれぞれに接続されることが好ましい。
【０００７】
前記コントローラと前記方向指示ランプセットとの間には、電源に接続された方向指示ランプ制御スイッチセットが配置され、前記コントローラは、複数の前記制御線により前記方向指示ランプ制御スイッチセットの制御スイッチのそれぞれに接続され、前記電源は、前記方向指示ランプ制御スイッチセットの前記制御スイッチのそれぞれにより前記方向指示ランプセットの前記発光源のそれぞれに接続されることが好ましい。
【考案の効果】
【０００８】
本考案の車両用ライトモジュールは、簡素な構造により製造コストを大幅に削減することができ、実際に使用する際、方向指示ランプセットの各発光源を順次発光させ、車両の進行方向を明確に示し、安全に警告を行うことにより、全体的な利便性を向上させることができる。
【図面の簡単な説明】
【０００９】
【図１】本考案の第１実施形態による車両用ライトモジュールを示す構造図である。
【図２】本考案の第２実施形態による車両用ライトモジュールを示す構造図である。
【考案を実施するための形態】
【００１０】
（第１実施形態）
図１を参照する。図１に示すように、本考案の第１実施形態による車両用ライトモジュールは、デイライトのスイッチと、方向指示ランプのスイッチとに電気的に接続されるコントローラ１を含む。コントローラ１は、制御線１１により、デイライトセット２の各発光源２１に直接接続され、複数の制御線１２により、方向指示ランプセット３の各発光源３１にそれぞれ接続されている。デイライトセット２の発光源２１と、方向指示ランプセット３の発光源３１とは、単色ＬＥＤ又は二色のＬＥＤからなる２つの発光チップでもよい。
【００１１】
（第２実施形態）
図２を参照する。図２に示すように、本考案の第２実施形態による車両用ライトモジュールは、コントローラ１とデイライトセット２との間にデイライト制御スイッチ４が配置され、コントローラ１と方向指示ランプセット３との間に方向指示ランプ制御スイッチセット５が配置されている。デイライト制御スイッチ４及び方向指示ランプ制御スイッチセット５は、電源６に接続されている。コントローラ１は、制御線１１により、デイライト制御スイッチ４に接続されている。電源６は、デイライト制御スイッチ４により、デイライトセット２の各発光源２１に接続されている。コントローラ１は、複数の制御線１２により、方向指示ランプ制御スイッチセット５の各制御スイッチ５１に接続されている。電源６は、方向指示ランプ制御スイッチセット５の各制御スイッチ５１により、方向指示ランプセット３の各発光源３１にそれぞれ接続されている。
【００１２】
本考案の車両用ライトモジュールを実際に使用する際、車両のデイライトのスイッチがオンされると、コントローラ１は、制御線１１によりデイライトセット２の各発光源２１を制御して発光させたり、制御線１１によりデイライト制御スイッチ４に導通し、デイライト制御スイッチ４によりデイライトセット２の各発光源２１に電源６を伝達して各発光源２１を発光させたりする。これにより、所定の警告を行うことができる。また、車両の方向を転換するとき、進行方向を表す方向指示ランプのスイッチがオンされると、コントローラ１は、各制御線１２により方向指示ランプセット３の各発光源３１を順次制御して発光させたり、各制御線１２により方向指示ランプ制御スイッチセット５の各制御スイッチ５１に順次導通し、方向指示ランプ制御スイッチセット５の各制御スイッチ５１により方向指示ランプセット３の各発光源３１に電源６を順次伝達して各発光源３１を順次発光させたりする。これにより、車両の進行方向を表すことができる。
【００１３】
上述したことから分かるように、本考案の車両用ライトモジュールは、従来に比べて構造が簡素であるため、製造コストを大幅に削減することができる。また、実際に使用する際、方向指示ランプセットの各発光源を順次発光させ、車両の進行方向を明確に示し、安全に警告を行うことにより、全体的な利便性を向上させることができる。
【００１４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
１    コントローラ
２    デイライトセット
３    方向指示ランプセット
４    デイライト制御スイッチ
５    方向指示ランプ制御スイッチセット
６    電源
１１  制御線
１２  制御線
２１  発光源
３１  発光源
５１  制御スイッチ
【図１】
0003174586.tif 000003
【図２】
0003174586.tif 000004